【手続補正書】
【提出日】平成16年4月26日(2004.4.26)
【手続補正１】
【補正対象書類名】明細書
【補正対象項目名】発明の名称
【補正方法】変更
【補正の内容】
【発明の名称】細菌数測定方法、その装置、測定装置本体、および細菌数測定用セル
【手続補正２】
【補正対象書類名】明細書
【補正対象項目名】特許請求の範囲
【補正方法】変更
【補正の内容】
【特許請求の範囲】
【請求項１】
細菌数測定対象食品を１種類づつ溶液中に分散させてサンプル溶液を調製し、各サンプル溶液を、内面所定位置に電極面を有する測定用セル（１）に収容し、サンプル溶液を収容した測定用セル（１）を測定装置にセットし、電極からの出力信号に基づいて細菌数測定対象食品に含まれる細菌数を示す信号を出力することを特徴とする細菌数測定方法。
【請求項２】
サンプル溶液を収容した測定用セル（１）を測定装置にセットしたことを検出して、電極（１４）を機能させるとともに、電極（１４）からの出力信号に基づいて細菌数測定対象食品に含まれる細菌数を示す信号を出力する請求項１に記載の細菌数測定方法。
【請求項３】
前記測定用セル（１）として、サンプル溶液の液面とほぼ直交する電極面を有するものを採用する請求項１または請求項２に記載の細菌数測定方法。
【請求項４】
前記測定用セル（１）として、サンプル溶液注入口側の断面積が大きく、奥側の断面積が小さくなる形状を有するものを採用する請求項１から請求項３の何れかに記載の細菌数測定方法。
【請求項５】
測定用セル（１）の電極（１４）からの出力信号のうち、測定開始後の所定のタイミングにおける出力信号を入力としてサンプル溶液中の溶存酸素量を検出し、溶存酸素量から細菌数を算出する請求項１から請求項４の何れかに記載の細菌数測定方法。
【請求項６】
１種類のサンプル溶液を収容すべく、内面所定位置に電極面を有する測定用セル（１）と、複数個の測定用セル（１）をそれぞれ独立にセット可能な測定装置本体（１０）とを有し、測定装置本体（１０）は、各測定用セル（１）の電極（１４）からの出力信号に基づいて細菌数測定対象食品に含まれる細菌数を示す信号を出力する信号出力手段を含んでいることを特徴とする細菌数測定装置。
【請求項７】
前記測定装置本体（１０）は、測定用セルがセットされたことを検出して、電極（１４）を機能させるとともに、信号出力手段を機能させる制御手段をさらに含む請求項６に記載の細菌数測定装置。
【請求項８】
前記測定用セル（１）は、サンプル溶液の液面とほぼ直交する電極面を有するものである請求項６または請求項７に記載の細菌数測定装置。
【請求項９】
前記測定用セル（１）は、サンプル溶液注入口側の断面積が大きく、奥側の断面積が小さくなる形状を有するものである請求項６から請求項８の何れかに記載の細菌数測定装置。
【請求項１０】
前記測定用セル（１）は、測定可能な細菌の種類を表す表示を有するものである請求項６から請求項９の何れかに記載の細菌数測定装置。
【請求項１１】
前記測定用セル（１）は、少なくとも作用極（１４ａ）および対極（１４ｂ）を有する電極（１４）からの信号を出力する外部接触子（１５ａ）（１５ｂ）を有し、作用極（１４ａ）に対応する外部接触子（１５ａ）の長さを短く設定したものである請求項６から請求項１０の何れかに記載の細菌数測定装置。
【請求項１２】
前記測定装置本体（１０）は、測定終了後に電極に対して酸素発生電圧を印加する酸素発生電圧印加手段をさらに含む請求項６から請求項１１の何れかに記載の細菌数測定装置。
【請求項１３】
測定用セル（１）の複数の電極（１４）からの出力信号を出力する、細菌数測定に使われる測定装置本体（１０）において、
１種類のサンプル溶液を収容すべく、内面所定位置に電極面を有する測定用セル（１）と、複数個の測定用セル（１）をそれぞれ独立にセット可能であるとともに、各測定用セル（１）の複数の電極（１４）からの信号を出力するものであることを特徴とする測定装置本体。
【請求項１４】
前記測定装置本体（１０）は、測定用セル（１）の電極（１４）からの出力信号のうち、測定開始後の所定のタイミングにおける出力信号を入力としてサンプル溶液中の溶存酸素量を検出し、溶存酸素量から細菌数を算出するものである請求項６から請求項１２の何れかに記載の細菌数測定装置。
【請求項１５】
前記測定装置本体（１０）は、前記測定用セル（１）毎に電極（１４）の機能を開始させるものである請求項６に記載の細菌数測定装置。
【請求項１６】
前記測定装置本体（１０）は、前記各測定用セル（１）の測定装置へのセットを検出し、電極（１４）の機能を自動的に開始させるものである請求項７に記載の細菌数測定装置。
【請求項１７】
サンプル溶液を収容可能な容器本体（１１）と、容器本体（１１）の内面所定位置に電極面が位置する電極（１４）と、電極（１４）からの信号を出力する外部接触子（１５ａ）（１５ｂ）（１５ｃ）とを含むことを特徴とする細菌数測定用セル。
【請求項１８】
前記電極面は、サンプル溶液の液面とほぼ直交するものである請求項１７に記載の細菌数測定用セル。
【請求項１９】
サンプル溶液注入口側の断面積よりも、奥側の断面積が小さくなる形状を有する請求項１７または請求項１８に記載の細菌数測定用セル。
【請求項２０】
測定可能な細菌の種類を表す表示を有する請求項１７から請求項１９の何れかに記載の細菌数測定用セル。
【請求項２１】
少なくとも作用極（１４ａ）および対極（１４ｂ）を有する電極（１４）からの信号を出力する外部接触子（１５ａ）（１５ｂ）を有し、作用極（１４ａ）に対応する外部接触子（１５ａ）の長さが他の外部接触子（１５ｂ）よりも短く設定されている請求項１７から請求項２０の何れかに記載の細菌数測定用セル。
【手続補正３】
【補正対象書類名】明細書
【補正対象項目名】００１３
【補正方法】変更
【補正の内容】
【００１３】
請求項４の細菌数測定方法は、前記測定用セルとして、サンプル溶液注入口側の断面積が大きく、奥側の断面積が小さくなる形状を有するものを採用する方法である。
請求項５の細菌数測定方法は、測定用セルの電極からの出力信号のうち、測定開始後の所定のタイミングにおける出力信号を入力としてサンプル溶液中の溶存酸素量を検出し、溶存酸素量から細菌数を算出する方法である。
【手続補正４】
【補正対象書類名】明細書
【補正対象項目名】００１４
【補正方法】変更
【補正の内容】
【００１４】
請求項６の細菌数測定装置は、１種類のサンプル溶液を収容すべく、内面所定位置に電極面を有する測定用セルと、複数個の測定用セルをそれぞれ独立にセット可能な測定装置本体とを有し、測定装置本体は、各測定用セルの電極からの出力信号に基づいて細菌数測定対象食品に含まれる細菌数を示す信号を出力する信号出力手段を含むものである。
【手続補正５】
【補正対象書類名】明細書
【補正対象項目名】００１５
【補正方法】変更
【補正の内容】
【００１５】
請求項７の細菌数測定装置は、前記測定装置本体として、測定用セルがセットされたことを検出して、電極を機能させるとともに、信号出力手段を機能させる制御手段をさらに含むものを採用するものである。
【手続補正６】
【補正対象書類名】明細書
【補正対象項目名】００１６
【補正方法】変更
【補正の内容】
【００１６】
請求項８の細菌数測定装置は、前記測定用セルとして、サンプル溶液の液面とほぼ直交する電極面を有するものを採用するものである。
【手続補正７】
【補正対象書類名】明細書
【補正対象項目名】００１７
【補正方法】変更
【補正の内容】
【００１７】
請求項９の細菌数測定装置は、前記測定用セルとして、サンプル溶液注入口側の断面積が大きく、奥側の断面積が小さくなる形状を有するものを採用するものである。
【手続補正８】
【補正対象書類名】明細書
【補正対象項目名】００１８
【補正方法】変更
【補正の内容】
【００１８】
請求項１０の細菌数測定装置は、前記測定用セルとして、測定可能な細菌の種類を表す表示を有するものを採用するものである。
【手続補正９】
【補正対象書類名】明細書
【補正対象項目名】００１９
【補正方法】変更
【補正の内容】
【００１９】
請求項１１の細菌数測定装置は、前記測定用セルとして、少なくとも作用極および対極を有する電極からの信号を出力する外部接触子を有し、作用極に対応する外部接触子の長さを短く設定したものを採用するものである。
【手続補正１０】
【補正対象書類名】明細書
【補正対象項目名】００２０
【補正方法】変更
【補正の内容】
【００２０】
請求項１２の細菌数測定装置は、前記測定装置本体として、測定終了後に電極に対して酸素発生電圧を印加する酸素発生電圧印加手段をさらに含むものを採用するものである。
請求項１３の測定装置本体は、測定用セルの複数の電極からの出力信号を出力する、細菌数測定に使われるものにおいて、１種類のサンプル溶液を収容すべく、内面所定位置に電極面を有する複数個の測定用セルをそれぞれ独立にセット可能であるとともに、各測定用セルの複数の電極からの信号を出力するものである。
請求項１４の細菌数測定装置は、前記測定装置本体として、測定用セルの電極からの出力信号のうち、測定開始後の所定のタイミングにおける出力信号を入力としてサンプル溶液中の溶存酸素量を検出し、溶存酸素量から細菌数を算出するものを採用するものである。
請求項１５の細菌数測定装置は、前記測定装置本体として、前記測定用セル毎に電極の機能を開始させるものを採用するものである。
請求項１６の細菌数測定装置は、前記測定装置本体として、前記各測定用セルの測定装置へのセットを検出し、電極の機能を自動的に開始させるものを採用するものである。
請求項１７の細菌数測定用セルは、サンプル溶液を収容可能な容器本体と、容器本体の内面所定位置に電極面が位置する電極と、電極からの信号を出力する外部接触子とを含むものである。
請求項１８の細菌数測定用セルは、前記電極面として、サンプル溶液の液面とほぼ直交するものを採用するものである。
請求項１９の細菌数測定用セルは、サンプル溶液注入口側の断面積よりも、奥側の断面積が小さくなる形状を有するものである。
請求項２０の細菌数測定用セルは、測定可能な細菌の種類を表す表示を有するものである。
請求項２１の細菌数測定用セルは、少なくとも作用極および対極を有する電極からの信号を出力する外部接触子を有し、作用極に対応する外部接触子の長さが他の外部接触子よりも短く設定されているものである。
【手続補正１１】
【補正対象書類名】明細書
【補正対象項目名】００２４
【補正方法】変更
【補正の内容】
【００２４】
請求項４の細菌数測定方法であれば、前記測定用セルとして、サンプル溶液注入口側の断面積が大きく、奥側の断面積が小さくなる形状を有するものを採用するのであるから、請求項１から請求項３の何れかの作用に加え、各サンプル溶液の注入作業をより簡単化することができるとともに、必要なサンプル溶液の量を少なくすることができる。
請求項５の細菌数測定方法であれば、測定用セルの電極からの出力信号のうち、測定開始後の所定のタイミングにおける出力信号を入力としてサンプル溶液中の溶存酸素量を検出し、溶存酸素量から細菌数を算出するのであるから、請求項１から請求項４の何れかと同様の作用を達成することができる。
【手続補正１２】
【補正対象書類名】明細書
【補正対象項目名】００２５
【補正方法】変更
【補正の内容】
【００２５】
請求項６の細菌数測定装置であれば、各測定用セルによって、１種類のサンプル溶液を収容し、サンプル溶液に含まれる細菌数を電極により検出し、測定装置本体に対して、複数個の測定用セルをそれぞれ独立にセットすることができる。そして、測定装置本体において、信号出力手段によって、各測定用セルの電極からの出力信号に基づいて細菌数測定対象食品に含まれる細菌数を示す信号を出力することができる。
【手続補正１３】
【補正対象書類名】明細書
【補正対象項目名】００２７
【補正方法】変更
【補正の内容】
【００２７】
請求項７の細菌数測定装置であれば、前記測定装置本体として、測定用セルがセットされたことを検出して、電極を機能させるとともに、信号出力手段を機能させる制御手段をさらに含むものを採用するのであるから、請求項６の作用に加え、タイムラグに起因する誤差の発生を防止して細菌数の測定精度を高めることができる。
【手続補正１４】
【補正対象書類名】明細書
【補正対象項目名】００２８
【補正方法】変更
【補正の内容】
【００２８】
請求項８の細菌数測定装置であれば、前記測定用セルとして、サンプル溶液の液面とほぼ直交する電極面を有するものを採用するのであるから、請求項６または請求項７の作用に加え、細菌数測定対象食品に起因する固形物、沈殿物の影響を排除して細菌数の測定精度をより高めることができる。
【手続補正１５】
【補正対象書類名】明細書
【補正対象項目名】００２９
【補正方法】変更
【補正の内容】
【００２９】
請求項９の細菌数測定装置であれば、前記測定用セルとして、サンプル溶液注入口側の断面積が大きく、奥側の断面積が小さくなる形状を有するものを採用するのであるから、請求項６から請求項８の何れかの作用に加え、各サンプル溶液の注入作業をより簡単化することができるとともに、必要なサンプル溶液の量を少なくすることができる。
【手続補正１６】
【補正対象書類名】明細書
【補正対象項目名】００３０
【補正方法】変更
【補正の内容】
【００３０】
請求項１０の細菌数測定装置であれば、前記測定用セルとして、測定可能な細菌の種類を表す表示を有するものを採用するのであるから、請求項６から請求項９の作用に加え、測定用セルの間違いを防止することができる。
【手続補正１７】
【補正対象書類名】明細書
【補正対象項目名】００３１
【補正方法】変更
【補正の内容】
【００３１】
請求項１１の細菌数測定装置であれば、前記測定用セルとして、少なくとも作用極および対極を有する電極からの信号を出力する外部接触子を有し、作用極に対応する外部接触子の長さを短く設定したものを採用するのであるから、請求項６から請求項１０の何れかの作用に加え、測定用セルセット操作時に作用極に異常電圧が印加されることを阻止することができる。
【手続補正１８】
【補正対象書類名】明細書
【補正対象項目名】００３２
【補正方法】変更
【補正の内容】
【００３２】
請求項１２の細菌数測定装置であれば、測定用前記測定装置本体として、測定終了後に電極に対して酸素発生電圧を印加する酸素発生電圧印加手段をさらに含むものを採用するのであるから、請求項６から請求項１１の何れかの作用に加え、測定終了後に強制的に酸素を発生させて測定用セル内の細菌を死滅させることができる。
請求項１３の測定装置本体であれば、測定用セルの複数の電極からの出力信号を出力する、細菌数測定に使われるものにおいて、１種類のサンプル溶液を収容すべく、内面所定位置に電極面を有する複数個の測定用セルをそれぞれ独立に測定装置本体にセット可能であり、測定装置本体から、各測定用セルの複数の電極からの信号を出力することができる。
したがって、各サンプル溶液の測定用セルへの注入作業を簡単化することができ、しかも正確な細菌数の測定を達成することができる。
請求項１４の細菌数測定装置であれば、前記測定装置本体として、測定用セルの電極からの出力信号のうち、測定開始後の所定のタイミングにおける出力信号を入力としてサンプル溶液中の溶存酸素量を検出し、溶存酸素量から細菌数を算出するものを採用するのであるから、請求項６から請求項１２の何れかと同様の作用を達成することができる。
請求項１５の細菌数測定装置であれば、前記測定装置本体として、前記測定用セル毎に電極の機能を開始させるものを採用するのであるから、請求項６の作用に加え、サンプル溶液の調製から測定開始までの時間が長くなりすぎてしまうという不都合の発生を防止することができる。
請求項１６の細菌数測定装置であれば、前記測定装置本体として、前記各測定用セルの測定装置へのセットを検出し、電極の機能を自動的に開始させるものを採用するのであるから、請求項７の作用に加え、測定のために必要な作業を簡単化することができる。
請求項１７の細菌数測定用セルであれば、サンプル溶液を収容可能な容器本体と、容器本体の内面所定位置に電極面が位置する電極と、電極からの信号を出力する外部接触子とを含むのであるから、サンプル溶液を収容することにより、サンプル溶液に対応する信号を出力することができる。
請求項１８の細菌数測定用セルであれば、前記電極面として、サンプル溶液の液面とほぼ直交するものを採用するのであるから、請求項１７の作用に加え、サンプルの電極面上への堆積を防止することができる。
請求項１９の細菌数測定用セルであれば、サンプル溶液注入口側の断面積よりも、奥側の断面積が小さくなる形状を有するのであるから、請求項１７または請求項１８の作用に加え、サンプルの注入作業を容易にし、しかもサンプルの必要量を小さくすることができる。
請求項２０の細菌数測定用セルであれば、測定可能な細菌の種類を表す表示を有するのであるから、請求項１７から請求項１９の何れかの作用に加え、細菌数測定用セルの間違いを防止することができる。
請求項２１の細菌数測定用セルであれば、少なくとも作用極および対極を有する電極からの信号を出力する外部接触子を有し、作用極に対応する外部接触子の長さが他の外部接触子よりも短く設定されているのであるから、請求項１７から請求項２０の何れかの作用に加え、測定用セルセット操作時に作用極に異常電圧が印加されることを阻止することができる。
【手続補正１９】
【補正対象書類名】明細書
【補正対象項目名】００５６
【補正方法】変更
【補正の内容】
【００５６】
請求項４の発明は、請求項１から請求項３の何れかの効果に加え、各サンプル溶液の注入作業をより簡単化することができるとともに、必要なサンプル溶液の量を少なくすることができるという特有の効果を奏する。
請求項５の発明は、請求項１から請求項４の何れかと同様の効果を奏する。
【手続補正２０】
【補正対象書類名】明細書
【補正対象項目名】００５７
【補正方法】変更
【補正の内容】
【００５７】
請求項６の発明は、各サンプル溶液の測定用セルへの注入作業を簡単化することができ、しかも正確な細菌数の測定を達成することができるという特有の効果を奏する。
【手続補正２１】
【補正対象書類名】明細書
【補正対象項目名】００５８
【補正方法】変更
【補正の内容】
【００５８】
請求項７の発明は、請求項６の効果に加え、タイムラグに起因する誤差の発生を防止して細菌数の測定精度を高めることができるという特有の効果を奏する。
【手続補正２２】
【補正対象書類名】明細書
【補正対象項目名】００５９
【補正方法】変更
【補正の内容】
【００５９】
請求項８の発明は、請求項６または請求項７の効果に加え、細菌数測定対象食品に起因する固形物、沈殿物の影響を排除して細菌数の測定精度をより高めることができるという特有の効果を奏する。
【手続補正２３】
【補正対象書類名】明細書
【補正対象項目名】００６０
【補正方法】変更
【補正の内容】
【００６０】
請求項９の発明は、請求項６から請求項８の何れかの効果に加え、各サンプル溶液の注入作業をより簡単化することができるとともに、必要なサンプル溶液の量を少なくすることができるという特有の効果を奏する。
【手続補正２４】
【補正対象書類名】明細書
【補正対象項目名】００６１
【補正方法】変更
【補正の内容】
【００６１】
請求項１０の発明は、請求項６から請求項９の効果に加え、測定用セルの間違いを防止することができるという特有の効果を奏する。
【手続補正２５】
【補正対象書類名】明細書
【補正対象項目名】００６２
【補正方法】変更
【補正の内容】
【００６２】
請求項１１の発明は、請求項６から請求項１０の何れかの効果に加え、測定用セルセット操作時に作用極に異常電圧が印加されることを阻止することができるという特有の効果を奏する。
【手続補正２６】
【補正対象書類名】明細書
【補正対象項目名】００６３
【補正方法】変更
【補正の内容】
【００６３】
請求項１２の発明は、請求項６から請求項１１の何れかの効果に加え、測定終了後に強制的に酸素を発生させて測定用セル内の細菌を死滅させることができるという特有の効果を奏する。
請求項１３の発明は、各サンプル溶液の測定用セルへの注入作業を簡単化することができ、しかも正確な細菌数の測定を達成することができるという特有の効果を奏する。
請求項１４の発明は、請求項６から請求項１２の何れかと同様の効果を奏する。
請求項１５の発明は、請求項６の効果に加え、サンプル溶液の調製から測定開始までの時間が長くなりすぎてしまうという不都合の発生を防止することができるという特有の効果を奏する。
請求項１６の発明は、請求項７の効果に加え、測定のために必要な作業を簡単化することができるという特有の効果を奏する。
請求項１７の発明は、サンプル溶液を収容することにより、サンプル溶液に対応する信号を出力することができるという特有の効果を奏する。
請求項１８の発明は、請求項１７の効果に加え、サンプルの電極面上への堆積を防止することができるという特有の効果を奏する。
請求項１９の発明は、請求項１７または請求項１８の効果に加え、サンプルの注入作業を容易にし、しかもサンプルの必要量を小さくすることができるという特有の効果を奏する。
請求項２０の発明は、請求項１７から請求項１９の何れかの効果に加え、細菌数測定用セルの間違いを防止することができるという特有の効果を奏する。
請求項２１の発明は、請求項１７から請求項２０の何れかの効果に加え、測定用セルセット操作時に作用極に異常電圧が印加されることを阻止することができるという特有の効果を奏する。